(57)【要約】【課題】  スイッチ機構の簡略化を図ると共に内部ユニットを着脱する際に、内部ユニットへの通電を確実に遮断できる電子機器用スイッチ機構を提供することを目的とする。【解決手段】  電子機器に内部ユニット（ＨＤＤ）を挿入排出可能に設けられた開口部と、開口部に着脱自在に設けられた開口カバーと、開口カバーの着脱によって内部ユニットへの通電をＯＮ/ＯＦＦできる電子機器用スイッチ機構において、電子機器内部に設けられたメイン基板に実装されたプッシュスイッチと開口カバーの背面に設けられたスイッチ押部とからなるスイッチ手段が設けられていることを特徴とする。【選択図】  図２
2006310147.tif 000002
【特許請求の範囲】
【請求項１】
開口カバーで覆われた開口部から内部に設置された内部ユニットを交換可能な電子装置において、
前記電子装置の動作基板に搭載された前記内部ユニットの電源スイッチと、
前記開口カバーに設けられ、該開口カバーで前記開口部を覆った状態で、前記電源スイッチを通電状態とする操作片とからなるスイッチ手段が備えられたことを特徴とする電子装置。
【請求項２】
前記スイッチ手段は、前記動作基板に搭載されたプッシュスイッチと、前記開口カバーの背面に設けられたスイッチ押部とからなり、該開口カバーを装着することにより該スイッチ押部が該プッシュスイッチを押圧するように設けられていることを特徴とする請求項１に記載の電子装置。
【請求項３】
前記プッシュスイッチと前記スイッチ押部との間には、該プッシュスイッチを押圧する押圧部材が設けられていることを特徴とする請求項２に記載の電子装置。
【請求項４】
前記スイッチ押部は、弾性部材で形成されており、該スイッチ押部には該スイッチ押部を保護する保護部材が設けられていることを特徴とする請求項２に記載の電子装置。
【請求項５】
前記押圧部材には、取付部材に固定する固定部が形成されてをり、該取付部材には、前記プッシュスイッチの押し込み寸法規制手段が設けられていることを特徴とする請求項１、２および３に記載の電子装置。
【請求項６】
前記開口部の両側面には前記開口カバーをガイドするガイド凹部が形成され、前記開口カバーの両側部には該ガイド凹部に係合する突出部が形成されており、該ガイド凹部と該突出部とを摺動させて該開口カバーを着脱することを特徴とする請求項１、２、３および５に記載の電子装置。
【請求項７】
前記スイッチ手段は、前記動作基板に搭載されたマグネットスイッチと、前記開口カバーに設けられた磁石とからなり、該開口カバーの着脱により該マグネットスイッチがＯＮ/ＯＦＦするように設けられていることを特徴とする請求項１に記載の電子装置。
【請求項８】
前記スイッチ手段は、前記動作基板に搭載されたフォトカップラーと、前記開口カバーに設けられた光遮蔽部とからなり、フォトカップラースイッチがＯＮ/ＯＦＦするように設けられていることを特徴とする請求項１に記載の電子装置。
【発明の詳細な説明】
【技術分野】
【０００１】
本発明は、電子機器に設けられた開口部から内部ユニット例えばＨＤＤ（ハードディスク）等を取付け取り外し（着脱）する際に、該内部ユニットへの通電を遮断できるようにし、内部ユニットを安全に着脱できる電子装置に関する。
【背景技術】
【０００２】
背景技術の電子機器用スイッチ機構を図１１を用いて説明する。図１１は背景技術の電子機器用スイッチ機構の概略構成を示す側断面図である。
【０００３】
１００はカーナビゲーション機能が構成された車載用電子機器で、図１１で示すように機器本体部１１０、本体パネル１２０、液晶表示部１４０などにより構成されている。
【０００４】
機器本体部１１０には、内部ユニット（図示省略、例えば、地図や音楽情報等が記録されたＨＤＤ）との接続を保持するコネクタなどが設けられている。機器本体内部に装着された内部ユニットは記録情報の書き換えや機器の修理などの際には必要により着脱する構成となっている。
【０００５】
本体パネル１２０は、機器本体部１１０の前端部に固定されており、内部ユニットを挿入排出する開口部１２１が設けられている。開口部１２１は、内部ユニットを着脱する時以外は常に開口カバー１３０をねじ止めするようになっている。尚、開口部１２１周辺の所定の位置（開口カバー１３０の密着面）には、スイッチ１３５が実装された専用のスイッチ基板が固定されており、スイッチ１３５は機器本体部１１０の内部に配設されたメイン基板１１５に接続するように配線されている。開口カバー１３０の着脱によりスイッチ１３５がＯＮ/ＯＦＦされ、内部ユニットへの通電がＯＮ/ＯＦＦされるので内部ユニットを安全に着脱することができる。液晶表示部１４０は、本体パネル１２０の前方に回動自在に固定されているので、内部ユニットを着脱する場合には液晶表示部１４０を開口部１２１に対して着脱可能な角度まで回動させることになる。
【０００６】
この出願の発明に関する先行技術文献としては次のものがある。
【特許文献１】特開平７−３３５０６２号
【発明の開示】
【発明が解決しようとする課題】
【０００７】
しかし、上述の電子機器用スイッチ機構１００では、開口部１２１周辺の所定の位置（開口カバー１３０の密着面）に、スイッチ１３５が実装されたスイッチ基板が固定されており、スイッチ１３５は機器本体内部に配設された例えばメイン基板１１５に接続するように配線されているので、専用のスイッチ基板やメイン基板１１５までの接続が必要となり、部品費および組み付け費などによりコスト高につながるおそれがある。その他に、スイッチ基板を取付けるためのスペースが必要となり省スペース化への対応が図りにくくなると言う問題が残る。
【０００８】
尚、先行技術文献に記載された内容は、電子機器の本体ケースの開口面に設けられたリミットスイッチを着脱自在に取り付けられるパネルの着脱によりリミットスイッチをＯＮ/ＯＦＦさせる構成となっており、先行技術文献においても上述の課題と同じような問題が残る。
【０００９】
本発明は上述の問題を解決するもので、スイッチ機構の簡略化を図ると共に内部ユニットを着脱する際に、内部ユニットへの通電を確実に遮断する電子機器用スイッチ機構を備えた電子装置を提供することを目的とする。
【課題を解決するための手段】
【００１０】
本発明は上述の目的を達成するもので、開口カバーで覆われた開口部から内部に設置された内部ユニットを交換可能な電子装置において、前記電子装置の動作基板に搭載された前記内部ユニットの電源スイッチと、前記開口カバーに設けられ、該開口カバーで前記開口部を覆った状態で、前記電源スイッチを通電状態とする操作片とからなるスイッチ手段が備えられたことを特徴とするものである。
【００１１】
また、前記スイッチ手段は、前記動作基板に搭載されたプッシュスイッチと、前記開口カバーの背面に設けられたスイッチ押部とからなり、該開口カバーを装着することにより該スイッチ押部が該プッシュスイッチを押圧するように設けられていることを特徴とするものである。
【００１２】
また、前記プッシュスイッチと前記スイッチ押部との間には、該プッシュスイッチを押圧する押圧部材が設けられていることを特徴とするものである。
【００１３】
また、前記スイッチ押部は、弾性部材で形成されており、該スイッチ押部には該スイッチ押部を保護する保護部材が設けられていることを特徴とするものである。
【００１４】
また、前記押圧部材には、取付部材に固定する固定部が形成されてをり、該取付部材には、前記プッシュスイッチの押し込み寸法規制手段が設けられていることを特徴とするものである。
【００１５】
また、前記開口部の両側面には前記開口カバーをガイドするガイド凹部が形成され、前記開口カバーの両側部には該ガイド凹部に係合する突出部が形成されており、該ガイド凹部と該突出部とを摺動させて該開口カバーを着脱することを特徴とするものである。
【００１６】
また、前記スイッチ手段は、前記動作基板に搭載されたマグネットスイッチと、前記開口カバーに設けられた磁石とからなり、該開口カバーの着脱により該マグネットスイッチがＯＮ/ＯＦＦするように設けられていることを特徴とするものである。
【００１７】
また、前記スイッチ手段は、前記動作基板に搭載されたフォトカップラーと、前記開口カバーに設けられた光遮蔽部とからなり、フォトカップラースイッチがＯＮ/ＯＦＦするように設けられていることを特徴とするものである。
【発明の効果】
【００１８】
以上説明したように本発明によれば、スイッチ機構の簡略化が図れると共に内部ユニットを着脱する際に、内部ユニットへの通電を確実に遮断できる電子機器用スイッチ機構を提供することができる。
【発明を実施するための最良の形態】
【００１９】
カーナビゲーション機能などが構成された車載用電子機器においては、メンテナンスなどの際に内部ユニット（図示省略、例えばＨＤＤ）の着脱が行われるが、この際に内部ユニットが通電状態で着脱が行われると内部ユニットが破損する場合がある。これを防ぐために内部ユニットの挿入排出口に設けられる開口カバーにスイッチ操作機能を持たせ、内部ユニットの着脱の際には内部ユニットの電源を切って保護するようにした、本発明の電子機器用スイッチ機構を適用した事例の一部を図１乃至図１０を用いて説明する。
【実施例１】
【００２０】
本発明の実施例１を図１、図２および図３を用いて説明する。図１は本発明の実施例１の電子機器用スイッチ機構の概略構成を示す側断面図である。図２は本発明の実施例１の電子機器用スイッチ機構の要部を示す概略側断面図である。図３は実施例１の変形例の電子機器用スイッチ機構の要部を示す概略側断面図である。
【００２１】
１０はカーナビゲーション機能が構成された車載用電子機器で、図１で示すように機器本体部２０、本体パネル３０および液晶表示部２５などにより構成されている。
【００２２】
１１は電子機器用スイッチ機構の要部で、図２で示すように本体パネル３０、開口カバー３５およびメイン基板（動作基板に相当）４０などにより構成されている。本体パネル３０には、内部ユニットの挿入排出用の開口部３１が形成されており、開口部３１の外周には開口カバー３５が嵌る座部が設けられ、座部には開口カバー３５を取付けるねじ孔が形成されている。開口カバー３５は、板状をしており背面側の所定の位置から電子機器の内側方向に突出し下方へ延在するスイッチ操作用のスイッチ押部３６およびねじ孔などが形成されている。カーナビゲーションの各種動作を実現するために多くの部品が搭載されたメイン基板４０には、所定の位置（スイッチ押部３６が押圧可能位置）にプッシュスイッチ４１が実装されている。尚、プッシュスイッチ４１は誤動作や故障の際の動作を保証するために、複数個（２個）のプッシュスイッチ４１を並列に接続して用いてもよい。プッシュスイッチ４１は、プッシュスイッチ４１とスイッチ押部３６との間に設けられた押圧ばね部材４３を介して押圧操作される。押圧ばね部材４３はプッシュスイッチ４１の近傍に設けられた例えば基板ホルダ４７の一部にねじ止めまたはスポット溶接などにより固定されている。押圧ばね部材４３には板ばね部材が用いられ、基板ホルダ４７への固定部４４とスイッチ押圧部４５とスイッチ押部３６が当接する当接部４６などが形成されている。
【００２３】
次に、内部ユニットの着脱について説明する。
【００２４】
開口部３１が開口状態、即ち開口カバー３５が外され、プッシュスイッチ４１がＯＦＦ状態で内部ユニットを装着する。そして開口部３１に開口カバー３５を固定することにより、開口カバー３５のスイッチ押部３６の先端部がメイン基板４０に実装されたプッシュスイッチ４１を押圧するので、プッシュスイッチ４１がＯＮ状態となり、内部ユニットがメイン基板４０に電気的に接続され読み出し可能となる。また、開口部３１から開口カバー３５が外されるとプッシュスイッチ４１がＯＦＦ状態となり、メイン基板４０との電気的接続が断たれるので、内部ユニットを安全に取り外すことができる。
【００２５】
以上説明したように、本発明の実施例１の電子機器用スイッチ機構１１によれば、メイン基板４０に実装されたプッシュスイッチ４１と、開口カバー３５に形成されたスイッチ押部３６とからなるスイッチ機構が構成されるので、背景技術例や先行技術文献例のような専用のスイッチ基板が不用となり、また、スイッチ基板とメイン基板４０との間を接続する必要がなくなるので、電子機器用スイッチ機構１１が簡略化され部品費および組付け工数などの節減できコスト低減が図れる。また、省スペース化への対応が容易となる。その他に、板ばね部材で形成された押圧ばね部材４３を介してプッシュスイッチ４１が押圧されるので、組み付けによる位置のばらつきが吸収されると共に、押し過ぎによるストレスがプッシュスイッチ４１にかかることを防止することができる。
【００２６】
尚，本実施例１では、プッシュスイッチ４１とスイッチ押部３６との間にプッシュスイッチ４１を押圧する押圧ばね部材４３を設けたが、これに限らず、プッシュスイッチに押圧ばね部材が一体化されたプッシュスイッチ（図示省略）を用いることもできる。その他に、垂直方向から押圧するように縦型のプッシュスイッチ４１を選んだが、これに限らず、図３で示すようにメイン基板４０に実装された横型のプッシュスイッチ４２を、回動自在に設けられた押圧ばね部材４８を開口カバー３５のスイッチ押部３６で回動させる構成にすることもできる。
【実施例２】
【００２７】
本発明の実施例２を図４を用いて説明する。図４は本発明の実施例２の電子機器用スイッチ機構の要部を示す概略図で、（ａ）側断面図、（ｂ）Ｇ矢視図である。尚、実施例２は実施例１の一部を変更したものであり、実施例１と同じ構成については同じ符号を付し説明を省略する。
【００２８】
１２は電子機器用スイッチ機構の要部で、図４で示すように本体パネル３０、開口カバー３７およびメイン基板４０などにより構成されている。
【００２９】
開口カバー３７は、板状をした本体部５０には開口部３１に取付けるためのねじ孔などが形成されており、その背面側には所定の位置から電子機器の内側方向に突出し下方へ延在するスイッチ操作用のスイッチ押部５１がねじ止めされる。スイッチ押部５１は、板ばね部材で形成されているので、取り扱い上の変形を保護するための保護カバー５２が、本体部５０と１体に形成されている。
【００３０】
以上説明したように、本発明の実施例２の電子機器用スイッチ機構１２によれば、スイッチ押部５１が板ばね部材で形成されているので、組み付けによる位置のばらつきが吸収されると共に、押し過ぎによるストレスがプッシュスイッチ４１にかかるのを防止することができる。その他に、プッシュスイッチ４１を直接押圧することができるので構成がさらに簡略化できる。
【実施例３】
【００３１】
本発明の実施例３を図５および図６を用いて説明する。図５は本発明の実施例３の電子機器用スイッチ機構の要部を示す概略側断面図である。図６は実施例３の押圧ばね部材の一部を示す概略斜視図である。尚、実施例３は実施例１の一部を変更したものであり、実施例１と同じ構成については同じ符号を付し説明を省略する。
【００３２】
１３は電子機器用スイッチ機構の要部で、図５で示すように本体パネル３０、開口カバー３５、メイン基板４０およびばね取付部材５５，５６などにより構成されている。
【００３３】
メイン基板４０に実装されたプッシュスイッチ４１の近傍には押圧ばね部材６０が固定されるばね取付部材５５が設けられている。押圧ばね部材６０には、ばね取付部材５５に固定する固定部６１とスイッチ押圧部６２とスイッチ押部３６が当接する当接部６３とが形成されている。ばね取付部材５５，５６には、押圧ばね部材６０のスイッチ押圧部６２が当接する当接面５７（突出部でも可）が形成されており、プッシュスイッチ４１の押し込み寸法を規制できるようになっている
以上説明したように、本発明の実施例３の電子機器用スイッチ機構１３によれば、ばね取付部材５５，５６に押圧ばね部材６０のスイッチ押圧部６２が当接する当接面５７を設けることにより、プッシュスイッチ４１の押し込み寸法が規制されるので、押し過ぎによるストレスがプッシュスイッチ４１にかかるのを防止することができる。
【００３４】
尚、押圧ばね部材６０の当接部６３に、必要により図６で示すように弾性強度を調整する強度調整孔６４を設けることにより、組み付けによる位置のばらつきが更に吸収される。
【実施例４】
【００３５】
本発明の実施例４を図７および図８を用いて説明する。図７は本発明の実施例４の電子機器用スイッチ機構の要部を示す概略図で、（ａ）側断面図、（ｂ）Ａ矢視図である。図８は実施例４の本体パネルと開口カバーの係合部を示す概略図で、（ａ）本体パネル正面図、（ｂ）Ｂ−Ｂ断面図、（ｃ）開口カバー正面図、（ｄ）Ｃ矢視図である。尚、実施例４は実施例１の一部を変更したものであり、実施例１と同じ構成については同じ符号を付し説明を省略する。
【００３６】
１４は電子機器用スイッチ機構の要部で、図７で示すように本体パネル３０、開口カバー３５およびメイン基板４０などにより構成されている。
【００３７】
本体パネル３０には、内部ユニットの挿入排出用の開口部３１が形成されており、開口部３１の外周には開口カバー３５が嵌る座繰部が設けられ、座繰部には開口カバー３５取付け用のねじ孔が形成されている。また、開口部３１の両側面６６にはそれぞれ左右方向に延在し所定の位置から機器内側下方向に傾斜するガイド凹部６５が形成されている。
【００３８】
開口カバー３５は、板状をしており背面側の所定の位置から電子機器の内側方向に突出し下方へ延在するスイッチ操作用のスイッチ押部３６およびねじ孔などが形成されている。また、開口カバー３５の両側部６８にはそれぞれ左右方向に延在し、ガイド凹部６５に係合する突出部６７が形成されており、ガイド凹部６５と突出部６７とを摺動させて開口カバー３５を着脱することにより、スイッチ押部３６の軌跡が所定の位置まで規制されるようになっている。
【００３９】
以上説明したように、本発明の実施例２の電子機器用スイッチ機構１４によれば、開口部３１に設けられたガイド凹部６５と開口カバー３５に設けられた突出部６７とを摺動させながら開口カバー３５の着脱が行われるので、スイッチ押部３６の軌跡が所定の位置まで規制される。したがって、スイッチ押部３６がプッシュスイッチ４１の近傍に設けられた部品類への当接が防止されるので、電子機器内部空間の有効利用が可能となり小型化にもつながる。その他に、スイッチ押部３６がプッシュスイッチ４１を押圧するばね部材４３の先端に接触して、ばね部材４３が変形するのを防止することができる。
尚、本例では開口部３１にガイド凹部６５を設け、開口カバー３５に突出部６７を設けたが、これに限らず、それぞれにガイド溝とガイド溝に係合する突出部を設けてもよい。
【実施例５】
【００４０】
本発明の実施例５を図９を用いて説明する。図９は本発明の実施例５の電子機器用スイッチ機構の要部を示す概略側断面図である。尚、実施例５は実施例１と同じ構成については同じ符号を付し説明を省略する。
【００４１】
１３は電子機器用スイッチ機構の要部で、図９で示すように本体パネル３０、開口カバー７０、メイン基板４０などにより構成されている。
【００４２】
メイン基板４０の前端面部にマグネットスイッチ７２が実装されており、開口カバー７０の背面には、メイン基板４０に実装されたマグネットスイッチ７２と対面する位置に磁石７１が設けられており、開口カバー７０の着脱によりマグネットスイッチ７２と磁石７１との間隔ｔが近接または離反することにより、マグネットスイッチ７２がＯＮ/ＯＦＦするように設けられている。マグネットスイッチ７２がＯＮ/ＯＦＦすることにより内部ユニットへの通電がＯＮ/ＯＦＦされる。
【００４３】
以上説明したように、本発明の実施例５の電子機器用スイッチ機構１５によれば、構造の簡略化が図られ周辺部品との干渉が回避されるので、電子機器内部空間の有効利用が可能となり小型化にもつながる。その他に、内部ユニットの着脱の際には内部ユニットとメイン基板４０との電気的接続が断たれるので、内部ユニットを安全に着脱すことができる。
【実施例６】
【００４４】
本発明の実施例６を図１０を用いて説明する。図１０は本発明の実施例６の電子機器用スイッチ機構の要部を示す概略図、（ａ）側断面図、（ｂ）Ｆ矢視図である。尚、実施例６は実施例５の一部を変更したものであり、実施例５と同じ構成については同じ符号を付し説明を省略する。
【００４５】
１６は電子機器用スイッチ機構の要部で、図１０で示すように本体パネル３０、開口カバー７５、メイン基板４０などにより構成されている。
【００４６】
メイン基板４０の前端面部にフォトカップラー７８が実装されており、開口カバー７５の背面に、メイン基板４０に実装されたフォトカップラー７８と対向する位置に設けられた光遮蔽部７６とからなり、開口カバー７５の着脱によりフォトカップラー７８間の光を遮蔽または受光可能とすることにより、フォトカップラースイッチがＯＮ/ＯＦＦするように設けられている。フォトカップラースイッチがＯＮ/ＯＦＦすることにより内部ユニットへの通電がＯＮ/ＯＦＦされる。
【００４７】
以上説明したように、本発明の実施例６の電子機器用スイッチ機構１６においても、実施例５と同じように構造の簡略化が図られ周辺部品との干渉が回避されるので、電子機器内部空間の有効利用が可能となり小型化にもつながる。その他に、内部ユニットの着脱の際には内部ユニットとメイン基板４０との電気的接続が断たれるので、内部ユニットを安全に着脱すことができる。
【００４８】
尚、本発明の実施例では内部ユニット（ＨＤＤ）の着脱について説明したが、これに限らず、例えば半導体メモリ、ＳＤカード、ＣＦカードなど着脱の際に通電のＯＮ/ＯＦＦが必要な記録媒体であれば本発明と同じ電子機器用スイッチ機構を適用することができる。
【図面の簡単な説明】
【００４９】
【図１】本発明の実施例１の電子機器用スイッチ機構の概略構成を示す側断面図である。
【図２】本発明の実施例１の電子機器用スイッチ機構の要部を示す概略側断面図である。
【図３】実施例１の変形例の電子機器用スイッチ機構の要部を示す概略側断面図である。
【図４】本発明の実施例２の電子機器用スイッチ機構の要部を示す概略図である。
【図５】本発明の実施例３の電子機器用スイッチ機構の要部を示す概略側断面図である。
【図６】実施例３の押圧ばね部材の一部を示す概略斜視図である。
【図７】本発明の実施例４の電子機器用スイッチ機構の要部を示す概略図である。
【図８】実施例４の本体パネルと開口カバーの係合部を示す概略図でである。
【図９】本発明の実施例５の電子機器用スイッチ機構の要部を示す概略側断面図である。
【図１０】本発明の実施例６の電子機器用スイッチ機構の要部を示す概略図である。
【図１１】背景技術の電子機器用スイッチ機構の概略構成を示す側断面図である。
【符号の説明】
【００５０】
１０・・・車載用電子機器
１１、１２，１３、１４，１５，１６・・・電子機器用スイッチ機構
３０・・・本体パネル
３１・・・開口部
３５、３７、７０、７５・・・開口カバー
３６、５１・・・スイッチ押部
４０・・・メイン基板
４１・・・プッシュスイッチ
４３、４８、６０・・・押圧ばね部材
４７・・・基板ホルダ
５２・・・保護カバー
５５、５６・・・ばね取付部材
５７・・・当接面
６４・・・強度調整孔
６５・・・ガイド凹部
６６・・・両側面
７１・・・磁石
７２・・・マグネットスイッチ
７６・・・光遮蔽部
７８・・・フォトカップラー
【図１】
2006310147.tif 000003
【図２】
2006310147.tif 000004
【図３】
2006310147.tif 000005
【図４】
2006310147.tif 000006
【図５】
2006310147.tif 000007
【図６】
2006310147.tif 000008
【図７】
2006310147.tif 000009
【図８】
2006310147.tif 000010
【図９】
2006310147.tif 000011
【図１０】
2006310147.tif 000012
【図１１】
2006310147.tif 000013